【事件の表示】
　特許第２９７８４４０号「パチンコ遊技機におけるファール球処理装置」の請求項１、２に係る特許に対する特許異議の申立てについて、次のとおり決定する。
【結　論】
　訂正を認める。
　特許第２９７８４４０号の請求項１、２に係る特許を維持する。
【理　由】
Ｉ．手続の経緯
　特許第２９７８４４０号の請求項１、２に係る発明（以下、「本件請求項１、２に係る発明」という。）は、平成８年５月２４日の出願であって、平成１１年９月１０日にその発明についての特許の設定登録がなされ、平成１２年５月９日に異議申立人菊地一夫より特許異議の申立てがなされ、平成１２年９月８日付けで取消理由通知がなされ、これに対して、その指定期間内である平成１２年１１月２７日に特許異議意見書と共に訂正請求書が提出されたものである。
　　　　
II．訂正請求について
１．請求の趣旨及び訂正事項
　訂正請求の趣旨は、特許第２９７８４４０号の明細書を訂正請求書に添付した訂正明細書のとおり訂正することを求めるものであり、その訂正事項は、下記のイ〜ヘからなる。
　イ．特許明細書の特許請求の範囲の請求項１を、
「【請求項１】　外枠（Ａ）に組付けられる前枠（Ｂ）に、上下の球皿（Ｅ，Ｇ）及び打球発射装置（Ｈ）等を装備し、前枠（Ｂ）裏側に位置する保持枠（Ｊ）の遊技補助盤（７）に合せて遊技盤（Ｋ）をセットすると共に、遊技補助盤（７）の前面に発射レール（１７）を設置したパチンコ遊技機にあって、前記遊技盤（Ｋ）前面の案内レール（９）と遊技補助盤（７）前面の発射レール（１７）との間にファール球用の戻り口（２０）を形成すると共に、遊技補助盤（７）の上部に該遊技補助盤（７）の上部前面に設けられて前記戻り口（２０）の下方に整合された球受け部分（２７）を有するファール球用の球受け回収部（２６）を設け、この球受け回収部（２６）を遊技補助盤（７）の裏側に形成された通出路（４６ｂ）を介して前記下球皿（Ｇ）の裏側に連絡すると共に、前記球受け部分（２７）には前記上球皿（Ｅ）の裏側に突設された流入筒（２９）側面の逃がし口（２９ａ）からこぼれ出る賞球を受入れ得る球受け片（２７ａ）を設けたことを特徴とするパチンコ遊技機におけるファール球処理装置。」と訂正する。
　ロ．特許明細書の特許請求の範囲の請求項２を、
「【請求項２】　前記球受け回収部（２６）は、前記球受け部分（２７）と、この球受け部分（２７）の対応位置の前後方向へ開口されて前記通出路（４６ｂ）に連絡される回収口（２８）とを含んで構成されている請求項１に記載のパチンコ遊技機におけるファール球処理装置。」と訂正する。
　ハ．特許明細書の段落【０００６】の記載を、
「　【課題を解決するための手段】
　前述した目的を達成するため、本願請求項１の発明に係るパチンコ遊技機におけるファール球処理装置は、外枠に組付けられる前枠に、上下の球皿及び打球発射装置等を装備し、前枠裏側に位置する保持枠の遊技補助盤に合せて遊技盤をセットすると共に、遊技補助盤の前面に発射レールを設置したパチンコ遊技機にあって、前記遊技盤前面の案内レールと遊技補助盤前面の発射レールとの間にファール球用の戻り口を形成すると共に、遊技補助盤の上部に該遊技補助盤の上部前面に設けられて前記戻り口の下方に整合された球受け部分を有するファール球用の球受け回収部を設け、この球受け回収部を遊技補助盤の裏側に形成された通出路を介して前記下球皿の裏側に連絡すると共に、前記球受け部分には前記上球皿の裏側に突設された流入筒側面の逃がし口からこぼれ出る賞球を受入れ得る球受け片を設けたことを特徴としている。」と訂正する。
　ニ．特許明細書の段落【０００７】の記載を、
「又、本願請求項２の発明に係るパチンコ遊技機におけるファール球処理装置では、前記球受け回収部は、前記球受け部分と、この球受け部分の対応位置の前後方向へ開口されて前記通出路に連絡される回収口とを含んで構成されていることを特徴としている。」と訂正する。
　ホ．特許明細書の段落【０００８】の記載を、
「即ち、本願請求項１の発明に係るパチンコ遊技機におけるファール球処理装置では、打球発射装置により発射されたものの、打球力不足等に起因して遊技領域内に到達し得なかった遊技球は、ファール球として発射レールと案内レールとの間の戻り口に受入れられる。そして、戻り口に受入れられたファール球は、球受け回収部を介して遊技補助盤裏側の通出路に案内されて、最終的に下球皿に回収される。また、流入筒からこぼれ出た賞球は球受け部分の球受け片で受入れ、遊技補助盤裏側の通出路に案内し最終的に下球皿で回収される。」と訂正する。
　ヘ．特許明細書の段落【００３０】の記載を、
「　【発明の効果】
　本願請求項１の発明によれば、遊技面に向けてパチンコ球を１球ずつ打出して行われるゲームにおいて、戻り口に受入れたファール球を遊技盤の下方に整合する遊技補助盤の上部に設けた球受け回収部から遊技補助盤の裏側を利用して下球皿の裏側へ回収処理し得るので、遊技補助盤の前面に各種部品設置用のスペースを大きく確保し得、このスペースにスピー力、スイッチ、電磁ソレノイド等の各種付属部品を無理なく設置して遊技補助盤の前面及び前枠の内部空間の有効利用を図ることができる。また、球受け回収部は、流入筒からこぼれ出た賞球を球受け部分の球受け片により受入れ、遊技補助盤裏側の通出路に案内し下球皿に戻す賞球詰り解消手段としても好適に利用できる。」と訂正する。
　　　　
２．訂正の適否について
（１）訂正の目的の適否、新規事項の有無及び拡張・変更の存否
　訂正事項イは、特許明細書の特許請求の範囲の請求項１に記載された「遊技補助盤（７）の上部に戻り口（２０）の下方に整合するファール球用の球受け回収部（２６）を設け、」を「遊技補助盤（７）の上部に該遊技補助盤（７）の上部前面に設けられて前記戻り口（２０）の下方に整合された球受け部分（２７）を有するファール球用の球受け回収部（２６）を設け、」に限定すると共に、同じく「この球受け回収部（２６）を遊技補助盤（７）の裏側に形成された通出路（４６ｂ）を介して前記下球皿（Ｇ）の裏側に連絡した」とあるを「この球受け回収部（２６）を遊技補助盤（７）の裏側に形成された通出路（４６ｂ）を介して前記下球皿（Ｇ）の裏側に連絡すると共に、前記球受け部分（２７）には前記上球皿（Ｅ）の裏側に突設された流入筒（２９）側面の逃がし口（２９ａ）からこぼれ出る賞球を受入れ得る球受け片（２７ａ）を設けた」に限定するものであるから、全体として、特許請求の範囲の減縮を目的とするものといえる。そして、これらの訂正事項は、願書に添付した明細書の【請求項２】、段落【０００７】、段落【００１５】及び段落【００２８】に記載されている事項である。
　訂正事項ロは、上記訂正事項イの訂正により、特許明細書の特許請求の範囲の請求項２の記載事項の一部を請求項１に限定したことに伴って、請求項１の記載事項との整合を図るものであるから、明りようでない記載の釈明を目的とするものといえ、願書に添付した明細書に記載した事項の範囲内の訂正である。
　訂正事項ハ〜ホは、上記訂正事項イ及び訂正事項ロの訂正により、特許明細書の特許請求の範囲の請求項１及び請求項２が訂正されたことに伴って、訂正して整合を図るものであるから、これらの訂正は、明りようでない記載の釈明を目的とするものといえ、また、願書に添付した明細書に記載した事項の範囲内の訂正である。
　訂正事項ヘは、上記訂正事項イの訂正により、特許明細書の特許請求の範囲の請求項１が訂正されたことに伴い、対応する効果を【発明の効果】の項に追加したもので、明りようでない記載の釈明を目的とするものであり、訂正事項ヘにおいて追加された事項は、願書に添付した明細書の段落【００１５】及び段落【００２８】に記載されている事項である。
　そして、訂正事項イ〜ヘのいずれも、実質上特許請求の範囲を拡張し又は変更するものとはいえない。
　　　
（２）むすび
　以上のとおりであるから、上記訂正は、特許法第１２０条の４第２項及び同条第３項において準用する特許法第１２６条第２項から第４項の規定に適合するので、当該訂正を認める。
　　　　
III.特許異議の申立てについて
１．本件請求項１、２に係る発明
　上記II．２．で示したように、上記訂正が認められるから、本件請求項１、２に係る発明は、本件の訂正明細書及び図面の記載からみて、その特許請求の範囲の請求項１、２(前記II．１．訂正事項イ、ロ参照）に記載された事項により特定されるものである。
　　
２．異議申立ての理由の概要
　異議申立人は、甲第１号証（特開平７−２９９２２２号公報）を提出して、本件請求項１、２に係る発明は、甲第１号証に記載された発明であるから、特許法第２９条第１項第３号の規定に該当するものであり、本件請求項１、２に係る発明についての特許は取り消されるべきであると主張している。
　　　
３．甲第１号証の記載事項
　甲第１号証には、
　ａ．「【００１４】図１で示すように、パチンコ機の前枠５０にはガラス枠５１と、該ガラス枠５１の下方で前面板５２とが取付けられる。そして、該前枠５０の裏面に本発明に係るミドルフレーム１が固定される。このミドルフレーム１は、枠部３と支持板４とからなり、該枠部３内を遊技盤５３の嵌装窓孔２としている。
【００１５】そして該嵌装窓孔２に誘導レール５４を備えた遊技盤５３が装著され、該遊技盤５３がガラス枠５１の窓ガラスにより覆われると共に、前記支持板４が前面板５２に対向し、その前後で所要の玉流通路が形成されることとなる。さらには、前面板５２の前面には上皿５５（図６，７参照）が取付けられ、……
【００１６】また前記前枠５０の下部裏面には発射槌および該発射槌を駆動する発射モータ等が装架され、前枠５０の下部前面に設けられた玉発射用ハンドル６１により前記発射モータの駆動制御がなされることとなる。そして前記嵌装窓孔２に付装した発射レール３０から遊技盤５３上に玉が順次発射される。前枠５０のさらに下方には下皿６２が配設されている。」（２欄４１行〜３欄２１行）、
　ｂ．「【００１８】このミドルフレーム１は枠部３と支持板４とを合成樹脂性材料により一体的に成形し、枠部３内を嵌装窓孔２としてなる。ここで支持板４は、主板部５と、該主板部５の背面に形成された井桁状に交叉する補強リブ６が一体的に成形されてなる。この補強リブ６は、その突出度が同一であり、該補強リブ６の後端と、主板部５の前面間で該支持板４の肉厚が定まる。そして、該支持板４の背面には、補強リブ６を覆って金属製の硬質性カバー板４０が被着される。」（３欄２４〜３２行）、
　ｃ．「【００２４】また前記主板部５には、誘導レール５４と発射レール３０の繋ぎ部に生ずるファール球落下口６５（図１参照）と連通するファール球開口１５が形成されている。このファール球開口１５は主板部５の前面側でファール球落下口６５と上下で一致する漏斗状のファール球案内枠１６で覆われ、ファール球落下口６５からのファール球がファール球開口１５に導入される。……
【００２５】またこのファール球開口１５は支持板４の背面で、前記ファール球通路１４の上部と連通する。すなわち、このファール球通路１４の合流部は、前記賞球導出口９からのこぼれ球と、ファール球とを下方へ落下案内するための共通路となる。
【００２６】このファール球通路１４は図６で示すように後述するバケツ体７０の戻し球用縦樋７３と上下で一致しており、戻し球となって下皿６２に流下する。而して、前記こぼれ球通路１３，ファ一ル球通路１４により戻し球通路が構成されることとなる。」（４欄２４〜４５行）、
　ｄ．「【００２８】一方、前記主板部５の前面には、発射レール３０の取付け位置に沿って三本の杆状ボス部２０が突成されている。このボス部２０はその中心に固定孔２１が形成されている。この発射レール３０は前記ボス部２０に対応する位置に前後で対向して夫々の前縁及び後縁に連結片３２，３３が下方へ曲成されており、後縁連結片３２に形成した貫通孔にボス部２０を挿入し、前縁連結片３３に形成した透孔からビス３４を前記固定孔２１へ螺着して、該発射レール３０を主板部５の前面に固定するようにしている。」（５欄３〜１２行）、
と記載されている。
　　　
　以上のａ〜ｄの記載及び図１〜６の記載によれば、甲第１号証には、
「前枠５０に、上皿５５、下皿６２及び玉発射用ハンドル６１等を装備し、前枠５０の裏側にミドルフレーム１が固定され、該ミドルフレーム１は、枠部３と支持板４とからなり、該枠部３と支持板４により形成される嵌装窓孔２に合せて遊技盤５３が装着され、支持板４の主板部５前面に発射レール３０を設置したパチンコ機にあって、前記遊技盤５３前面の誘導レール５４と支持板４の主板部５前面の発射レール３０との間にファール球落下口６５を形成すると共に、支持板４の主板部５上部前面に設けられて前記落下口６５と上下で一致するファール球案内枠１６を覆い、該ファール球案内枠１６で覆われた箇所の支持板４の主板部５の前後方向へファール球落下口６５と連通するファール球開口１５を形成し、該ファール球開口１５を支持板４の背面に形成された戻し球通路に連通し、戻し球通路を介して下皿６２の裏側に連絡したことを特徴とするパチンコ機におけるファール球処理装置。」という発明が記載されていると認められる。
　　　
４．対比・判断 
　本件請求項１に係る発明と甲第１号証記載の発明とを対比すると、
　甲第１号証記載の発明の「上皿５５，下皿６２」、「玉発射用ハンドル６１」、「ミドルフレーム１」、「支持板４」、「パチンコ機」、「誘導レール５４ 」、「ファール球落下口６５」、「と上下で一致する」、「ファール球案内枠１６」、「ファール球案内枠１６とファール球開口１５」、「背面」及び「戻し球通路」は、本件請求項１に係る発明の「上下の球皿」、「打球発射装置」、「保持枠」、「遊技補助盤」、「パチンコ遊技機」、「案内レール」、「ファール球用の戻り口」、「の下方に整合された」、「球受け部分」、「ファール球用の球受け回収部」、「裏側」及び「通出路」に相当し、本件の出願前、パチンコ遊技機の製造において、前枠を外枠の前面側に組付けて構成することは、例示するまでもなく、慣用されている事柄であるから、
　本件請求項１に係る発明と甲第１号証記載の発明とは、
「外枠に組付けられる前枠に、上下の球皿及び打球発射装置等を装備し、前枠裏側に位置する保持枠の遊技補助盤に合せて遊技盤をセットすると共に、遊技補助盤の前面に発射レールを設置したパチンコ遊技機にあって、前記遊技盤前面の案内レールと遊技補助盤前面の発射レールとの間にファール球用の戻り口を形成すると共に、遊技補助盤の上部に該遊技補助盤の上部前面に設けられて前記戻り口の下方に整合された球受け部分を有するファール球用の球受け回収部を設け、この球受け回収部を遊技補助盤の裏側に形成された通出路を介して前記下球皿の裏側に連絡したことを特徴とするパチンコ遊技機におけるファール球処理装置。」である点で一致しているが、
　本件請求項１に係る発明は、球受け部分には上皿の裏側に突設された流入筒側面の逃がし口からこぼれ出る賞球を受入れ得る球受け片を設けているのに対して、甲第１号証記載の発明は、そのような構造を具備していない点で相違している。
　そして、本件請求項１に係る発明は、上記相違点における事項を構成要件とすることにより、特許明細書に記載された「【００２８】そして、このような賞球排出状態において、保持枠Ｊ側の通出口２１と、上球皿Ｅ側の流入筒２９との間で、万一賞球詰りが発生したような場合には、流入筒２９の側面に開口された逃し口２９ａから・・・溢れ出た賞球については、前記ファール球用の球受け回収部２６における球受け部材２７の球受け片２７ａで受入れて、回収口２８から通出路４６ｂへ通出させて下球皿Ｇへ戻すことができる。従って、球受け回収部２６を通出口２１と流入筒２９の間の賞球詰り解消手段としても好適に利用できる。」、「【００３０】・・・球受け回収部は、流入筒からこぼれ出た賞球を球受け部分の球受け片により受入れ、遊技補助盤裏側の通出路に案内し下球皿に戻す賞球詰り解消手段としても好適に利用できる。」という作用効果を奏するもので、かゝる作用効果は、甲第１号証記載の発明からは期待できないものと認められる。
　したがって、上記相違点により、本件請求項１に係る発明は、甲第１号証記載の発明であるとすることができないばかりか、甲第１号証記載の発明に基いて当業者が容易に発明をすることができたものとすることもできない。
　また、本件請求項２に係る発明は、本件請求項１に係る発明を引用して、さらに限定するものであるから、上記本件請求項１に係る発明についてしたと同様の判断により、甲第１号証記載の発明と同一とすることができないばかりか、甲第１号証記載の発明に基いて当業者が容易に発明をすることができたものとすることもできない。
　　　　
５．むすび
  以上のとおりであるから、特許異議の申立ての理由及び証拠方法によっては、本件請求項１、２に係る発明についての特許を取り消すことはできない。
　また、他に本件請求項１、２に係る発明についての特許を取り消すべき理由を発見しない。
　よって、結論のとおり決定する。
【異議決定日】
平成１３年７月１０日（２００１．７．１０）
【訂正の要旨】
　訂正の要旨　　　　　　　　　　　　　Ｈ１３．６．１９
　異議２０００−７２００９　　特許第２９７８４４０号
１．特許請求の範囲の減縮を目的として、
　特許明細書の特許請求の範囲の請求項１の記載を、
「【請求項１】　外枠（Ａ）に組付けられる前枠（Ｂ）に、上下の球皿（Ｅ，Ｇ）及び打球発射装置（Ｈ）等を装備し、前枠（Ｂ）裏側に位置する保持枠（Ｊ）の遊技補助盤（７）に合せて遊技盤（Ｋ）をセットすると共に、遊技補助盤（７）の前面に発射レール（１７）を設置したパチンコ遊技機にあって、
　前記遊技盤（Ｋ）前面の案内レール（９）と遊技補助盤（７）前面の発射レール（１７）との間にファール球用の戻り口（２０）を形成すると共に、遊技補助盤（７）の上部に該遊技補助盤（７）の上部前面に設けられて前記戻り口（２０）の下方に整合された球受け部分（２７）を有するファール球用の球受け回収部（２６）を設け、この球受け回収部（２６）を遊技補助盤（７）の裏側に形成された通出路（４６ｂ）を介して前記下球皿（Ｇ）の裏側に連絡すると共に、前記球受け部分（２７）には前記上球皿（Ｅ）の裏側に突設された流入筒（２９）側面の逃がし口（２９ａ）からこぼれ出る賞球を受入れ得る球受け片（２７ａ）を設けたことを特徴とするパチンコ遊技機におけるファール球処理装置。」と訂正する。
２．上記１の特許明細書の特許請求の範囲の請求項１の訂正と整合させるため、明りようでない記載の釈明を目的として、
　特許明細書の特許請求の範囲の請求項２を、
「【請求項２】　前記球受け回収部（２６）は、前記球受け部分（２７）と、この球受け部分（２７）の対応位置の前後方向へ開口されて前記通出路（４６ｂ）に連絡される回収口（２８）とを含んで構成されている請求項１に記載のパチンコ遊技機におけるファール球処理装置。」と訂正する。
３．上記１、２の特許明細書の特許請求の範囲の請求項１、２の訂正と整合させるため、明りようでない記載の釈明を目的として、
（１）特許明細書の段落【０００６】の記載を、
「　【課題を解決するための手段】
　前述した目的を達成するため、本願請求項１の発明に係るパチンコ遊技機におけるファール球処理装置は、外枠に組付けられる前枠に、上下の球皿及び打球発射装置等を装備し、前枠裏側に位置する保持枠の遊技補助盤に合せて遊技盤をセットすると共に、遊技補助盤の前面に発射レールを設置したパチンコ遊技機にあって、前記遊技盤前面の案内レールと遊技補助盤前面の発射レールとの間にファール球用の戻り口を形成すると共に、遊技補助盤の上部に該遊技補助盤の上部前面に設けられて前記戻り口の下方に整合された球受け部分を有するファール球用の球受け回収部を設け、この球受け回収部を遊技補助盤の裏側に形成された通出路を介して前記下球皿の裏側に連絡すると共に、前記球受け部分には前記上球皿の裏側に突設された流入筒側面の逃がし口からこぼれ出る賞球を受入れ得る球受け片を設けたことを特徴としている。」と訂正する。
（２）特許明細書の段落【０００７】の記載を、
「又、本願請求項２の発明に係るパチンコ遊技機におけるファール球処理装置では、前記球受け回収部は、前記球受け部分と、この球受け部分の対応位置の前後方向へ開口されて前記通出路に連絡される回収口とを含んで構成されていることを特徴としている。」と訂正する。
（３）特許明細書の段落【０００８】の記載を、
「即ち、本願請求項１の発明に係るパチンコ遊技機におけるファール球処理装置では、打球発射装置により発射されたものの、打球力不足等に起因して遊技領域内に到達し得なかった遊技球は、ファール球として発射レールと案内レールとの間の戻り口に受入れられる。そして、戻り口に受入れられたファール球は、球受け回収部を介して遊技補助盤裏側の通出路に案内されて、最終的に下球皿に回収される。また、流入筒からこぼれ出た賞球は球受け部分の球受け片で受入れ、遊技補助盤裏側の通出路に案内し最終的に下球皿で回収される。」と訂正する。
４．明りようでない記載の釈明を目的として、
　特許明細書の段落【００３０】の記載を、
「　【発明の効果】
　本願請求項１の発明によれば、遊技面に向けてパチンコ球を１球ずつ打出して行われるゲームにおいて、戻り口に受入れたファール球を遊技盤の下方に整合する遊技補助盤の上部に設けた球受け回収部から遊技補助盤の裏側を利用して下球皿の裏側へ回収処理し得るので、遊技補助盤の前面に各種部品設置用のスペースを大きく確保し得、このスペースにスピーカ、スイッチ、電磁ソレノイド等の各種付属部品を無理なく設置して遊技補助盤の前面及び前枠の内部空間の有効利用を図ることができる。また、球受け回収部は、流入筒からこぼれ出た賞球を球受け部分の球受け片により受入れ、遊技補助盤裏側の通出路に案内し下球皿に戻す賞球詰り解消手段としても好適に利用できる。」と訂正する。
（５４）【発明の名称】
パチンコ遊技機におけるファール球処理装置
（５７）【特許請求の範囲】
　【請求項１】　外枠（Ａ）に組付けられる前枠（Ｂ）に、上下の球皿（Ｅ，Ｇ）及び打球発射装置（Ｈ）等を装備し、前枠（Ｂ）裏側に位置する保持枠（Ｊ）の遊技補助盤（７）に合せて遊技盤（Ｋ）をセットすると共に、遊技補助盤（７）の前面に発射レール（１７）を設置したパチンコ遊技機にあって、
　前記遊技盤（Ｋ）前面の案内レール（９）と遊技補助盤（７）前面の発射レール（１７）との間にファール球用の戻り口（２０）を形成すると共に、遊技補助盤（７）の上部に
該遊技補助盤（７）の上部前面に設けられて前記
された球受け部分（２７）を有
すると共に、前記球受け部分（２７）には前記上球皿（Ｅ）の裏側に突設された流入筒（２９）側面の逃がし口（２９ａ）からこぼれ出る賞球を受入れ得る球受け片（２７ａ）を設け
　【請求項２】　前記球受け回収部（２６）は、前
記球
【発明の詳細な説明】
　【０００１】
　【発明の属する技術分野】
　この発明は、パチンコ遊技機におけるファール球処理装置に関し、更に詳細には、パチンコゲーム中に発生したファール球（戻り球ともいう）を回収処理するためのファール球処理装置に関するものである。
　【０００２】
　【従来の技術】
　パチンコ遊技機の代表例の一つであるパチンコ機では、遊技操作に基づく球送り装置と打球発射装置との関連作動により、上球皿内の遊技用パチンコ球（遊技球ともいう）を機内の発射レールの発射部位に１球ずつ送込んで同部位から遊技盤の遊技領域に打出してゲームを行い得るようになっている。そして、遊技球は遊技領域内において、アウト口に入ったアウト球と、各種入賞器具に入った入賞球（セーフ球ともいう）とに区分され、そして、入賞球に対して賞球排出装置から所定個数単位毎に払出された賞球を上球皿側へ優先的に払出し、同皿側が満杯状態となった以後は、余剰分の賞球を下球皿側へ排出し得るようになっている。
　【０００３】
　一方、パチンコゲーム中においては、多かれ少なかれ一般にファール球と呼ばれている非遊技球、つまり発射部位から１球ずつ打出されたものの、打球力（発射飛走力）不足等に起因して遊技領域内に適正に到達し得ないまま案内レールに沿って降下して発射レール側へ逆戻りしようとする非遊技球が、不定期ではあるが必ずと言って発生している。このため、いずれのパチンコ機においても、発射レールの上端と案内レールの下端との間に、前述したファール球を回収するための戻り口（ファール口ともいう。）が、適宜離隔開口広さで形成されており、全てのファール球をこの戻り口に受入れて発射部位側への逆戻り、ひいては次に発射される遊技球との干渉を回避し得るようになっている。
　【０００４】
　【発明が解決しようとする課題】
　ところで、前述した従来のパチンコ機におけるファール球の処理形態については、一般的に実施されている例として、前述したファール球用戻り口とは別に、遊技盤を収容セットする保持枠における遊技補助盤（前記発射レールが設置された盤）の前面の上下方向に亘り戻り路と、下球皿側に連絡する回収路が形成されており、前記戻り口に転落した全てのファール球を最終的に下球皿側へ排出して回収処理するようにしていた。しかし、このようなファール球回収構成にあっては、遊技補助盤の前面スペースが有効に利用し得なくなり、例えばスピーカ、スイッチ、電磁ソレノイドなどの各種付属部品が設置し難くなっていた。
　【０００５】
　本発明は、前述した課題を好適に解決するべく提案されたものであって、パチンコゲーム中に発生したファール球を、遊技盤の下方に整合する遊技補助盤の上部裏側から下球皿の裏側へ回収できるようにして、遊技補助盤の前面さらには前枠の内部空間の有効利用を図り得るようにしたパチンコ遊技機におけるファール球処理装置の提供を目的とするものである。
　【０００６】
　【課題を解決するための手段】
　前述した目的を達成するため、本願請求項１の発明に係るパチンコ遊技機におけるファール球処理装置は、外枠に組付けられる前枠に、上下の球皿及び打球発射装置等を装備し、前枠裏側に位置する保持枠の遊技補助盤に合せて遊技盤をセットすると共に、遊技補助盤の前面に発射レールを設置したパチンコ遊技機にあって、前記遊技盤前面の案内レールと遊技補助盤前面の発射レールとの間にファール球用の戻り口を形成すると共に、遊技補助盤の上部に
該遊技補助盤の上部前面に設けられて前記
された球受け部分を有
すると共に、前記球受け部分には前記上球皿の裏側に突設された流入筒側面の逃がし口からこぼれ出る賞球を受入れ得る球受け片を設け
　【０００７】
　又、本願請求項２の発明に係るパチンコ遊技機におけるファール球処理装置では、前記球受け回収部は、前
記球
　【０００８】
　即ち、本願請求項１の発明に係るパチンコ遊技機におけるファール球処理装置では、打球発射装置により発射されたものの、打球力不足等に起因して遊技領域内に到達し得なかった遊技球は、ファール球として発射レールと案内レールとの間の戻り口に受入れられる。そして、戻り口に受入れられたファール球は、球受け回収部を介して遊技補助盤裏側の通出路に案内されて、最終的に下球皿に回収される。
また、流入筒からこぼれ出た賞球は球受け部分の球受け片で受入れ、遊技補助盤裏側の通出路に案内し最終的に下球皿で回収される。
　【０００９】
　又、本願請求項２の発明に係るパチンコ遊技機におけるファール球処理装置では、戻り口からのファール球は、まず遊技補助盤の上部前面の球受け部分にて受入れられ、そして、同球受け部分から遊技補助盤の回収口に入って裏側の通出路に直接通出された後、同通出路を介して下球皿側へ回収処理される。
　【００１０】
　【発明の実施の形態】
　次に、本発明に係るパチンコ遊技機におけるファール球処理装置について、好適な実施形態を挙げて添付図面を参照しながら詳細に説明する。尚、本実施形態では、機内（遊技機裏側）に貯留したパチンコ球を賞球並びに遊技用の貸し球として各球皿へ夫々排出可能とされたパチンコ機について主に例示する。
　【００１１】
　本実施形態の対象とされるパチンコ機では、その全体的な基本構成として、図１及び図２に略示するように、外郭保持枠をなす外枠Ａの開口前面側に搭載枠をなす前枠Ｂが開閉及び着脱可能に組付けられ、この前枠Ｂの前後各部に、ガラス扉Ｄ付きの窓枠Ｃ、遊技球用の球送り装置Ｆをセットした上球皿Ｅ、貯留球用の下球皿Ｇ、操作部及び駆動部を含む打球発射装置Ｈ等が装備される一方、各種の球処理部を有する機構セット盤Ｓが装備されており、又、前枠Ｂの正面内部（裏側）の保持枠Ｊに、遊技盤Ｋが着脱可能にセットされている。尚、外枠Ａは、上下及び左右の各枠部材のうち２本を組替えることにより、一般に「関東枠」「関西枠」と呼称区分される２種類のタイプに変更可能な形態例とされ、前枠Ｂは、その正面内部（裏側）に位置する遊技盤セット用の保持枠Ｊと合せて全体が合成樹脂成形された二重枠の形態例とされている。又、遊技盤Ｋは円形状の案内レール９内に各種の入賞器具１０やアウト口１１を含む遊技領域１２を構成しており、ガラス扉Ｄ及び上球皿Ｅを開放（共に横開き）したもとで、前側から交換可能な形態例とされている。
　【００１２】
　このような本実施形態のパチンコ機にあって、前記前枠Ｂは、図１〜図６に示すように、外枠Ａの開口前面域に適合する方形サイズに成形されて、その前面に開口した窓口１の前側周囲に窓枠Ｃが装着可能とされている。又、窓口１下部の支盤部２に開口された余剰賞球用の通出口３と設置孔４に合せて、下球皿Ｇ及びセット盤３０並びに打球発射装置Ｈが装着可能とされている。さらに、前枠Ｂの正面左側における上下両端部には開閉連結支持部５，５が設けられ、又、正面上縁部から正面右縁部にかけては略Ｌ字状の電光装飾部６が設置されている。尚、窓口１の下底面はその中央部やや左側寄りが低くなるような弛るい傾斜面とされ、この傾斜面を利用してこぼれ球等を後述する球戻し口２５へ案内し得るようになっている。
　【００１３】
　一方、前記保持枠Ｊは、図３〜図６に示すように、前枠Ｂの窓口１裏側に合せた方形サイズに一体成形されており、その下部には遊技補助盤７が成形されると共に、同遊技補助盤７の上端面を基準にして遊技盤用のセット口８が開口されている。そして、このセット口８の周縁には、遊技盤Ｋに対する位置決め用の突起１３が複数箇所配設されると共に、斜状をなす四隅に配設された各施錠保持部１４には図示しない施錠具が着脱可能にセットされている。又、セット口８の下縁（遊技補助盤７の上縁）に沿って受け片１５が、セット口８の上縁に沿って案内片１６が夫々前向きに一体成形されており、セット口８に対する遊技盤Ｋの着脱（縦向き状態での出入れ）時には、受け片１５により遊技盤Ｋを一旦受け得ると共に、案内片１６により遊技盤Ｋの上端を案内し得るようにして、その補助及び円滑化を図るようになっている。
　【００１４】
　一方、前記遊技補助盤７の正面右側前面には、遊技盤Ｋの案内レール９に飛翔連絡される発射レール１７が適宜傾斜で設置されており、その下端基部の発射部位Ｐに前記球送り装置Ｆにより１球ずつ送込まれた遊技球を着座させて前記打球発射装置Ｈの打球作動部１８の打球杆１９で打出し得るようになっている。そして、双方のレール９，１７について観ると、図４に示すように、発射レール１７の上端と案内レール９の下端が、互いに適宜高低差（略１球分）及び離隔空間広さを以って対向しており、この離隔空間広さの開口面がファール球用の戻り口２０として構成されている。又、遊技補助盤７の各部に、賞球用の通出口２１と、アウト球用のアウト路２２と、こぼれ球用の球戻し口２５が形成されており、正面左側前面にスピーカ２３の収容及びこぼれ球の受入れ処理をなし得るセット部材２４が着脱可能に取着されている。
　【００１５】
　又、前述した遊技補助盤７にあっては、ファール球を回収処理するための球受け回収部２６が設けられている。この球受け回収部２６では、図４，図６に示すように、前記戻り口２０の直下方に合せて遊技補助盤７の上部前面に取着される枠状の球受け部材２７と、この球受け部材２７の取着位置に整合して遊技補助盤７の前後に開口された回収口２８とから構成されており、この回収口２８が遊技補助盤７の裏側に形成された後述する通出路４６ｂに連通されて下球皿Ｇの裏側に連絡されている。尚、球受け部材２７は、その内底面が上球皿Ｅの左部裏側に突設された流入筒２９の内底面よりも適宜低い位置にされて球受け片２７ａにより流入筒２９の側面に形成された逃し口２９ａからこぼれ出る賞球を受入れ得るようになっている。ちなみに、この球受け部材２７は、遊技補助盤７の前面に一体成形されてもよく、さらには発射レール１７の基盤と一体成形されてもよい。
　【００１６】
　そして、前記機構セット盤Ｓは、遊技盤Ｋ側で発生したアウト球及び入賞球、そして賞球の処理に係る必要な経路や装置部分及び電気的な機器等を集約的に装備して全体がユニット化されたもので、前記保持枠Ｊの裏側に整合して着脱可能にセットされている。そして、図２，図７，図８に示すように、その中央部に開口された遊技盤点検用の窓口３１の周囲各部において、内側つまり遊技盤Ｋ裏面の対向面側にアウト球排出経路３２及び入賞球排出処理部３３（図１１，図１２参照）が構成され、外側に賞球貯留排出部３６等が構成されている。アウト球排出経路３２は、遊技盤Ｋのアウト口１１及び保持枠Ｊ側のアウト路２２に連通される受入路３２ａと下方に延出された縦向きの排出路３２ｂを有し、又、入賞球排出処理部３３は、全ての入賞球を受入れて整列通出させる集合整流路３３ａと、処理室３３ｂで１球ずつ間欠定時的に検出及び排出処理する処理装置３４とを有する。但し、集合整流路３３ａ及びアウト路２２は、図８，図１１，図１２に示すように、同一内側の上下に画成されており、双方の開口面側に蓋板３５が取着されている。そして、賞球貯留排出部３６は、貯留タンク３６ａ、整流樋３６ｂ、送出樋３６ｃ、及び入賞球処理作動に関連して設定個数単位の賞球を排出し得る排出装置３７等を有する。
　【００１７】
　尚、前記機構セット盤Ｓには、図２に示すように、窓口３１に対して裏カバー３８が開閉及び着脱可能に取着され、外側の右上隅部にはターミナル基盤３９が装着されている。又、前記整流樋３６ｂと送出樋３６ｃの連絡部分には、賞球を２列から１列に整流案内する案内具３６ｄが組込まれ、図８に示すように、機構セット盤Ｓの左縁から下縁にかけては配線用の収容路４０ａ及び接続部４０ｂが成形されている。一方、前記処理装置３４は、図７に示すように、処理室３３ｂに組付けられた本体３４ａの処理路３４ｂ、検出スイッチ３４ｃ、ソレノイド３４ｄ及び処理部材３４ｅ等を利用して、集合整流路３３ａから処理路３４ｂに通入する入賞球を１球ずつ通人出規制して停留検出後排出処理し得るようになっている。又、前記排出装置３７は、図２に示すように、送出樋３６ｃ下端に組付けられた本体３７ａの通路３７ｂ、ソレノイド３７ｃ及び球送り体３７ｄ並びにセンサー等を利用して、送出樋３６ｃから通路３７ｂに通入する賞球を１球ずつ検出カウントして排出するようになっている。ちなみに、この排出装置３７は賞球を遊技球用の貸し球として払出すこともできる。
　【００１８】
　このような本実施形態のパチンコ機において、前記前枠Ｂ及び保持枠Ｊ並びに機構セット盤Ｓの各所要部位に亘り、排出装置３７から排出された賞球（貸し球を含む）を前記上下の各球皿Ｅ，Ｇ側へ排出させるための賞球排出処理経路が設けられている。この経路は、基本的には機構セット盤Ｓに設けられた排出経路部４１と、保持枠Ｊ裏側に設けられた通出経路部４６と、前枠Ｂ裏側に設けられた連絡経路部４９との連通により構成されている。
　【００１９】
　先ず、機構セット盤Ｓ側の排出経路部４１では、図２，図７，図８に示すように、排出装置３７の本体３７ａの出口下方に成形された斜状の排出路４１ａと、この下流に連続する円曲形の遊回路４１ｂと、機構セット盤Ｓの側端下部に開口された排出口４１ｃが連通されており、排出口４１ｃの内周部には賞球を通出経路部４６側へ案内するための案内片４１ｄが成形されている。尚、この排出経路部４１に対応して機構セット盤Ｓの下部外側寄りに、賞球貯留排出部３６内の賞球を機外へ排出し得る球抜き路４２が成形されており、この球抜き路４２では、排出経路部４１の排出路４１ａからセーフ球用の処理路３４ｂ出口及びアウト球用の排出路３２ａ出口に合流され、排出経路部４１の排出路４１ａとの分岐連絡部分に、ソレノイド４３等で切換え作動されるレバー４４が組込まれている。又、遊回路４１ｂと球抜き路４２との区画手段として効果音発生用の鈴４５が組付けられている。
　【００２０】
　一方、保持枠Ｊ側の通出経路部４６では、図５，図６に示すように、セット口８の裏側から見て右下斜状隅角部の裏側領域（施錠保持部１４の下方裏側領域）に成形されて賞球用の通出口２１へ外側方から（即ち、裏側から見て右側方から）連通する上流路である通人路４６ａと、遊技補助盤７の裏側に成形されて通出口２１の裏側左側方から連通すると共に前記球戻し口２５の裏側に連絡する下流路である通出路４６ｂが連通されており、通出路４６ｂは、通出口２１の底面半分に開口された溢出口４６ｃに連通されて通出口２１から分岐連通された状態にある。尚、通出口２１の底面と溢出口４６ｃとは、図５に示すように、一体成形された仕切り用の突条４６ｄで適宜区画されているが、この一体成形の突条４６ｄに代え、図５に２点鎖線で示すごとく、別成形された仕切り部材４７を取着するようにしてもよい。又、通出路４６ｂの中央上部に前記球受け回収部２６の回収口２８が連通されている。尚、必要ならば、図５に２点鎖線で示すように、その所要部分に球感知部材及びスイッチ等を含む賞球充満検知手段４８や効果音発生用の鈴を設けてもよい。
　【００２１】
　そして、前枠Ｂ側の連絡経路部４９では、図４〜図６に示すように、支盤部２の通出口３裏側に合せて方形状の通出筒４９ａが一体に突出成形されており、この通出筒４９ａの裏側開口面に合せて連絡具５０が取着されている。通出筒４９ａは、保持枠Ｊの遊技補助盤７裏側と同一位置まで突設されており、その後端上面には球口４９ｂが切欠形成されている。これに対し、連絡具５０は機構セット盤Ｓ裏側と同一位置まで突出可能とした前提にあって、箱状に成形されたものを例とし、球口４９ｂに合せて垂立した縦筒部５０ａを前記通出経路部４６の通出路４６ｂ下端及び球戻し口２５裏側に臨ませて両者４６ｂ，２５の集合連絡を図っている。尚、通出筒４９ａは、通出路４６ｂとも一連に成形されて球口４９ｂを整合した形態であってもよい。又、連絡具５０は、余剰賞球の収容条件に応じて蓋状のものであってもよく、何れもビス等を利用して機構セット盤Ｓの外側（背面側）から着脱可能にセットし得るものである。
　【００２２】
　前述した夫々の経路部４１，４６，４９により構成された賞球排出処理経路にあって、保持枠Ｊ裏側に機構セット盤Ｓが装着された状態においては、図９，図１１に示すように、排出経路部４１の排出口４１ｃと通出経路部４６の通入口４６ａとが適宜の流入勾配をもって整合連通され、通出口２１及び通出路４６ｂの裏面側が前記蓋板３５により覆蓋されている。一方、前記上球皿Ｅ側の連絡状態においては、図１０〜図１２に示すように、上球皿Ｅの正面左部内側に突設された流入筒２９の裏面側が前記通出口２１及び溢出口４６ｃの前面に整合連通されている。又、前記下球皿Ｇ側の連絡状態においては、図１１，図１３に示すように、下球皿Ｇのセット支盤３０の中央に成形された連絡口３０ａが支盤部２の通出口３内に整合されて通出筒４９ａに直通的に連通されている。尚、上球皿Ｅ側及び下球皿Ｇ側の夫々の連絡状態においては、適宜所要の流出勾配や段差等が付与されている。
　【００２３】
　前述のように、賞球排出処理経路が構成されていることに関連して、前記機構セット盤Ｓにおいては、図２から理解できるように、排出経路部４１が窓口３１の下部分においてセット盤Ｓ全体の右端側１／４以下のスペース内に構成することができ、これにより、窓口３１の下部領域における３／４以上のスペースが、各種の所要部品、例えば基盤等を含む電気的部品用の設置部５１として利用されている。この設置部５１は、図７，図１１〜図１３に例示するように、機構セット盤Ｓの左右全幅に対して左側１／２以上のスペースを有する第１設置室５１ａと、１／４程度のスペースを有する第２設置室５１ｂと、同第２設置室５１ｂの下方に位置する第３設置室５１ｃとに区画されており、そして、第２設置室５１ｂと前記排出経路部４１の内壁との間には配線処理室５１ｄが形成され、この配線処理室５１ｄと前記入賞球排出処理部３３の処理室３３ｂとの間の区画壁には配線用の凹部５１ｅが形成されている。
　【００２４】
　そして、このような設置部５１においては、図２，図１１，図１２に示すように、各種のゲーム内容毎に対応して構成される遊技用制御基盤５２が第１設置室５１ａに、又、全機種共通用に対応して構成される賞球払出し用制御基盤５３が第２設置室５１ｂに、そして、その他の基盤、例えば発射駆動、効果音、電飾等に係る基盤５８が第３設置室５１ｃに、夫々収容されて、適宜の取着手段５４を利用して着脱可能に固定保持されている。因みに、取着手段５４としては、例えばビス孔付きのボス、弾性変形可能なフック、指先操作可能な施錠具や係止具等が利用される。尚、機構セット盤Ｓの裏側には、排出処理経路部４１から第２設置室５１ｂの全面に亘ってカバー５５が取着されている。又、第１設置室５１ａには遊技用制御基盤５２用のカバーを開閉可能に取着してもよい。但し、図１１，図１２に２点鎖線で示すように、賞球払出し用制御基盤５３にリセットスイッチ５６が装着されている場合には、カバー５５の対応する部位にリセットボタン５７が取着される。
　【００２５】
　さて、以上のように構成された本実施形態のパチンコ機の作用について以下に説明する。このパチンコ機にあっては、遊技操作による打球発射装置Ｈの打球作動部１８による打球作動と、球送り装置Ｆによる球送り作動との協働により、上球皿Ｅからの遊技球が１球ずつ順次発射レール１７の発射部位Ｐに送込まれて着座後に打球杆１９で打出され、発射レール１７から遊技盤Ｋの案内レール９に沿って飛走して遊技領域１２内に打込まれる。そして、アウト口１１に入ったアウト球は、アウト路２２からアウト球排出経路３２を介して排出され、又、各入賞器具１０に入った入賞球は、入賞球排出処理部３３の集合整流路３３ａから通出された後、処理装置３４により１球ずつ処理され、最終的にはアウト球用の排出路３２ｂから排出される。又、入賞球の処理に関連して賞球貯留排出部３６の排出装置３７が適時タイミングで作動されて、賞球が上球皿Ｅ側へ優先的に排出され、次いで下球皿Ｇへ通出される。
　【００２６】
　一方、パチンコゲーム中に発生したファール球については、次のように処理し得る。即ち、発射レール１７の発射部位Ｐから発射されたものの、打球力不足等に起因して遊技領域１２内に到達し得なかった遊技球は、ファール球（戻り球）となって戻り口２０に転落する。このファール球については、その発生状態から観ると、案内レール９に沿って上昇飛走したものの途中から降下して同レール９の下端から戻り口２０へ転落するものや、案内レール９に到達し得ないまま発射レール１７の上端から戻り口２０へ転落するもの等がある。そこで、前記戻り口２０に転落したファール球は、戻り口２０の直下方の球受け回収部２６により回収される。具体的には、球受け部材２７でファール球を受入れた後、そのファール球を回収口２８から遊技補助盤７の裏側に通人して通出経路部４６の通出路４６ｂに通出する。そして、通出路４６ｂに通出されたファール球は連絡具５０の縦筒部５０ａにより下方へ案内されて球口４９ｂから通出筒４９に入り、最終的には通出口３及び連絡口３０ａを経て下球皿Ｇへ回収される。従って、このようなファール球処理技術によれば、球受け回収部２６によりファール球を受入れて遊技補助盤７裏側の通出路４６ｂから下球皿Ｇの裏側へ回収し得るので、遊技補助盤７の前面に、スピーカや他の付属部品等を含む各種部材、装置の設置スペースを大きく設定して有効に活用できる。
　【００２７】
　又、前記排出装置３７から払出された賞球については、次のようにして上球皿Ｅ次いで下球皿Ｇに排出し得る。即ち、排出装置３７から放出された賞球は、排出経路部４１の排出路４１ａに流入した後、円曲形の遊回路４１ｂを通って排出口４１ｃに至り、同排出口４１ｃから保持枠Ｊの裏側に向け排出される。そして、この賞球は、排出口４１ｃと対向する通出経路部４６の通入路４６ａに受入れられた後、通出口２１の側方（保持枠Ｊの裏側から見て右側方）から通入し、次いで通出口２１の突条４６ｄにより流入筒２９側へ優先的に案内されて上球皿Ｅへ通出される。そうして、上球皿Ｅ側の賞球充満以後において、通出口２１の裏側へ溢れ出た余剰賞球については、溢出口４６ｃから通出路４６ｂ側へ流入した後、連絡具５０の縦筒部５０ａにより下方へ案内されて球口４９ｂから通出筒４９に入り、最終的には通出口３及び連絡口３０ａを経て下球皿Ｇへ通出される。
　【００２８】
　そして、このような賞球排出状態において、保持枠Ｊ側の通出口２１と、上球皿Ｅ側の流入筒２９との間で、万一賞球詰りが発生したような場合には、流入筒２９の側面に開口された逃し口２９ａから賞球の溢れ出を許容し得る。そして、逃し口２９ａから溢れ出た賞球については、前記ファール球用の球受け回収部２６における球受け部材２７の球受け片２７ａで受入れて、回収口２８から通出路４６ｂへ通出させて下球皿Ｇへ戻すことができる。従って、球受け回収部２６を通出口２１と流入筒２９の間の賞球詰り解消手段としても好適に利用できる。
　【００２９】
　尚、前記実施形態では、セーフ球に対して賞球を払出す一般のパチンコ機について具体化したが、本発明はこれに限定されない。例えば、複数個の遊技球の入球図柄組合せに基づく入賞成立に対して賞球を払出すようにしたアレンジボール機に具体化することも可能であり、又、貯留球を賞球の他に貸し球（遊技球）として、上球皿側に排出する球貸しタイプのパチンコ遊技機に具体化することも可能である。又、保持枠Ｊを前枠Ｂと別成形組付けタイプとしたり、機構セット盤Ｓを開閉式タイプとして、保持枠Ｊの裏側から遊技盤Ｋを交換し得るパチンコ遊技機であってもよい。一方、前記実施形態では、機構セット盤Ｓにおける排出経路部４１の排出口４１ｃを、保持枠Ｊにおける通出経路部４６の通入路４６ａに整合連通させたが、直接、賞球用の通出口２１に連通させる構成としてもよい。
　【００３０】
　【発明の効果】
　本願請求項１の発明によれば、遊技面に向けてパチンコ球を１球ずつ打出して行われるゲームにおいて、戻り口に受入れたファール球を遊技盤の下方に整合する遊技補助盤の上部に設けた球受け回収部から遊技補助盤の裏側を利用して下球皿の裏側へ回収処理し得るので、遊技補助盤の前面に各種部品設置用のスペースを大きく確保し得、このスペースにスピーカ、スイッチ、電磁ソレノイド等の各種付属部品を無理なく設置して遊技補助盤の前面及び前枠の内部空間の有効利用を図ることができる。
また、球受け回収部は、流入筒からこぼれ出た賞球を球受け部分の球受け片により受入れ、遊技補助盤裏側の通出路に案内し下球皿に戻す賞球詰り解消手段としても好適に利用できる。
　【００３１】
　又、本願請求項２の発明によれば、遊技補助盤の前面におけるファール球回収処理のための構成を、遊技補助盤上部の球受け部分と回収口のみにできるので、遊技補助盤の前面に対して各種部品設置用のスペースをより一層確実に形成することができる。
【図面の簡単な説明】
　【図１】　本実施形態のパチンコ機を略示する正面図。
　【図２】　同じく、その背面図。
　【図３】　前枠及び保持枠を略示する正面図。
　【図４】　前枠及び保持枠の主要部分の正面図。
　【図５】　同じく、その背面図。
　【図６】　前枠及び保持枠の要部を背面側から示す斜視図。
　【図７】　機構セット盤の要部を示す部分背面図。
　【図８】　同じく、その部分正面図。
　【図９】　排出経路部と通出経路部との連通状態を示す部分側断面図。
　【図１０】流入筒と球受け回収部との連通状態を示す部分側断面図。
　【図１１】賞球排出処理経路の上下各球皿への連通状態を示す側断面図。
　【図１２】賞球排出処理経路の上球皿側における連通状態を示す平断面図。
　【図１３】同じく、下球皿側における連通状態を示す平断面図。
　【符号の説明】
　７…遊技補助盤、　８…セット口、　９…案内レール、　１７…発射レール、　２０…ファール球用の戻り口、　２１…通出口、　２６…球受け回収部、　２７…球受け部材、　２７ａ…球受け片、　２８…回収口、　２９…流入筒、　２９ａ…逃し口、　３１…窓口、　３７…排出装置、　４１…排出経路部、　４６…通出経路部、　４６ｂ…通出路、　５１…設置部、
　Ａ…外枠、　Ｂ…前枠、　Ｅ…上球皿、　Ｆ…球送り装置、　Ｇ…下球皿、　Ｈ…打球発射装置、　Ｊ…保持枠、　Ｋ…遊技盤、　Ｓ…機構セット盤。